(57)【要約】【課題】側面カバーを、物品支持棚の側端に簡単かつ確実に着脱することができ、もって、複数の物品支持棚を、間に側面カバーを介在させることなく、左右方向に連続させて並べることができ、しかも、構造が簡単で、体裁のよい陳列棚装置を提供する。【解決手段】左右の支柱２の前面に設けた係止孔２ａに、物品支持棚５の後面に設けた後方を向く係止片１２を係止することにより、物品支持棚５を左右の支柱２に取り付けた陳列棚装置において、物品支持棚５の側面を覆う側面カバー１５の後端部に設けた内向きの係合片１６を、物品支持棚５の後面と支柱２の前面との間の隙間１４に挿入するとともに、係止片１２の上下いずれかの縁に、左右方向に相対移動不能として係合し、かつ側面カバー１５の下端に設けた内向き片１７を、物品支持棚５の下端に当接し、固定ねじ１９をもって止着する。【選択図】      図２
2009078043.tif 000002
【特許請求の範囲】
【請求項１】
左右の支柱の前面に設けた係止孔に、物品支持棚の後面に設けた後方を向く係止片を係止することにより、物品支持棚を左右の支柱に取り付けた陳列棚装置において、
前記物品支持棚の側面を覆う側面カバーの後端部に設けた内向きの係合片を、前記物品支持棚の後面と支柱の前面との間に設けた隙間に挿入するとともに、前記係止片の上下いずれかの縁に、左右方向に相対移動不能として係合し、かつ前記側面カバーの下端に設けた内向き片を、前記物品支持棚の下端に当接し、止着手段をもって止着したことを特徴とする陳列棚装置。
【請求項２】
係合片を、正面視上向き鉤形として、係止片の下端部に下方より係合し、かつ内向き片を、物品支持棚の下端に、固定ねじをもって下方より螺締した請求項１記載の陳列棚装置。
【請求項３】
係合片を、側面カバーの後端より内向きに折曲して形成し、かつこの係合片の上端に、係止片の下端部に下方より係合する下向きの切込みを設けた請求項１記載の陳列棚装置。
【請求項４】
内向き片の遊端に、物品支持棚における側板の下端部内面に係合する起立片を設け、この起立片の上下寸法を、係合片における係止片との係合深さより小とした請求項２または３記載の陳列棚装置。
【請求項５】
左右の支柱の前面に設けた係止孔に、物品支持棚の後面に設けた後方を向く係止片を係止することにより、物品支持棚を左右の支柱に取り付けた陳列棚装置において、
前記物品支持棚の側面を覆う側面カバーの後端部に設けた内向きの係合片を、前記物品支持棚の後面と支柱の前面との間の隙間に挿入するとともに、前記係止片の上端に係止し、かつ前記側面カバーの下端に設けた内向き片を、前記物品支持棚の下端に係合させたことを特徴とする陳列棚装置。
【請求項６】
係合片の下端に上向きの切込みを設け、この切込みを、係止片の上端部に上方より係合させた請求項５記載の陳列棚装置。
【請求項７】
物品支持棚を、前方に向かって漸次下降する階段状陳列部を有するものとし、かつ側面カバーを、前記階段状陳列部の側端の全体を覆うものとした請求項１〜６のいずれかに記載の陳列棚装置。
【発明の詳細な説明】
【技術分野】
【０００１】
本発明は、店舗や図書館等において、雑誌や書籍等を陳列する陳列棚装置、特に、その側面カバーの取付構造に関する。
【背景技術】
【０００２】
従来のこの種の陳列棚装置には、棚板の側端に側面カバーを設けたものがある(例えば特許文献１および２参照)。
【特許文献１】特開平８−２５６８８６号公報
【特許文献２】特開２００６−９４９９３号公報
【発明の開示】
【発明が解決しようとする課題】
【０００３】
しかし、特許文献１に記載されているものは、左右１対の側板間に、左右１対のブラケットと側面カバー(マガジンラック側板)との間に階段状のマガジンラック式の本受け部材を一体的に組み付けたものを架設した構造となっており、同一構造の複数の陳列棚装置を左右方向に並べて使用すると、互いに隣接する本受け部材間に、側板や側面カバー等がそれぞれ２個ずつ介在し、本受け部材同士を連続させることができず、陳列効率が低下するとともに、体裁が悪い。
【０００４】
また、特許文献２に記載されているものは、各段の棚板ごとに側面カバー(エンドカバー)を取り付けなければならず、部品点数が多く、構造が複雑化するとともに、側面カバーを取り付けるための係止爪や係合孔等が露呈し、体裁が悪い等の問題がある。
【０００５】
本発明は、従来の技術が有する上記のような問題点に鑑み、側面カバーを、物品支持棚の側端に簡単かつ確実に着脱することができ、もって、複数の物品支持棚を、間に側面カバーを介在させることなく、左右方向に連続させて並べることができ、しかも、構造が簡単で、体裁のよい陳列棚装置を提供することを目的としている。
【課題を解決するための手段】
【０００６】
本発明によると、上記課題は次のようにして解決される。
(１)  左右の支柱の前面に設けた係止孔に、物品支持棚の後面に設けた後方を向く係止片を係止することにより、物品支持棚を左右の支柱に取り付けた陳列棚装置において、前記物品支持棚の側面を覆う側面カバーの後端部に設けた内向きの係合片を、前記物品支持棚の後面と支柱の前面との間に設けた隙間に挿入するとともに、前記係止片の上下いずれかの縁に、左右方向に相対移動不能として係合し、かつ前記側面カバーの下端に設けた内向き片を、前記物品支持棚の下端に当接し、止着手段をもって止着する。
【０００７】
(２)  上記(１)項において、係合片を、正面視上向き鉤形として、係止片の下端部に下方より係合し、かつ内向き片を、物品支持棚の下端に、固定ねじをもって下方より螺締する。
【０００８】
(３)  上記(１)項において、係合片を、側面カバーの後端より内向きに折曲して形成し、かつこの係合片の上端に、係止片の下端部に下方より係合する下向きの切込みを設ける。
【０００９】
(４)  上記(２)または(３)項において、内向き片の遊端に、物品支持棚における側板の下端部内面に係合する起立片を設け、この起立片の上下寸法を、係合片における係止片との係合深さより小とする。
【００１０】
(５)  左右の支柱の前面に設けた係止孔に、物品支持棚の後面に設けた後方を向く係止片を係止することにより、物品支持棚を左右の支柱に取り付けた陳列棚装置において、前記物品支持棚の側面を覆う側面カバーの後端部に設けた内向きの係合片を、前記物品支持棚の後面と支柱の前面との間の隙間に挿入するとともに、前記係止片の上端に係止し、かつ前記側面カバーの下端に設けた内向き片を、前記物品支持棚の下端に係合させる。
【００１１】
(６)  上記(５)項において、係合片の下端に上向きの切込みを設け、この切込みを、係止片の上端部に上方より係合させる。
【００１２】
(７)  上記(１)〜(６)項のいずれかにおいて、物品支持棚を、前方に向かって漸次下降する階段状陳列部を有するものとし、かつ側面カバーを、前記階段状陳列部の側端の全体を覆うものとする。
【発明の効果】
【００１３】
本発明によると、次のような効果を奏することができる。
請求項１記載の発明によると、側面カバーの後端部に設けた内向きの係合片を、支柱に取り付けた物品支持棚の後面と支柱の前面との間の隙間に挿入し、その隙間において、支柱に係止した物品支持棚の係止片に係合し、かつ側面カバーの下端に設けた内向き片を、物品支持棚の下端に当接し、止着手段をもって止着することにより、側面カバーを、物品支持棚の側端に簡単かつ確実に装着することができるとともに、簡単に外すことができ、もって、複数の物品支持棚を、間に側面カバーを介在させることなく、左右方向に連続させて並べることができ、しかも、構造が簡単で、体裁のよい陳列棚装置を提供することができる。
【００１４】
請求項２記載の発明によると、係合片を、係止片の下端部に下方よりわずかに係合させた状態で、内向き片を、物品支持棚の下端に向かって押し上げつつ、固定ねじをもって、物品支持棚の下端に螺締することにより、側面カバーを、物品支持棚に簡単かつ確実に装着することができる。
【００１５】
請求項３記載の発明によると、係合片を、側面カバーの製造時に、プレス加工等により、側面カバーと一体的に、簡単に形成することができる。
【００１６】
請求項４記載の発明によると、係合片を、係止片の下端部に下方よりわずかに係合させた状態で、内向き片を、物品支持棚の下端に向かって押し上げて、内向き片の起立片を、物品支持棚における側板の下端部内面に係合させ易くすることができ、側面カバーを、物品支持棚に簡単に組み付けることができるとともに、起立片が物品支持棚における側板の下端部内面に係合することにより、側面カバーの下端部が物品支持棚から側方に剥がれるのが強力に阻止され、強固な構造とすることができる。
【００１７】
請求項５記載の発明によると、請求項１記載の発明におけるのと同様の効果を奏することができ、しかも、側面カバーの後端部に設けた内向きの係合片を、物品支持棚の係止片の上端に係止してあるので、それだけで、支柱および物品支持棚からの側面カバーの落下が阻止され、請求項１記載の発明における止着手段を設けなくても、側面カバーの下端に設けた内向き片を、物品支持棚の下端に係合させるだけで、側面カバーは物品支持棚から外れなくなり、構造および組み付け作業を簡素化することができる。
【００１８】
請求項６記載の発明によると、係合片を、側面カバーの製造時に、プレス加工等により、側面カバーと一体的に、簡単に形成することができる。
【００１９】
請求項７記載の発明によると、階段状陳列部の側端の全体を、１枚の側面カバーのみにより覆うことができ、部品点数の削減、構造および組み付け作業の簡素化を図ることができるとともに、体裁をよくすることができる。
【発明を実施するための最良の形態】
【００２０】
以下、本発明の実施形態を、添付図面を参照して説明する。  
図１〜図５は、本発明の第１の実施形態を示す。
図１に示すように、この実施形態は、書店等における雑誌類を陳列する陳列棚装置に適用したものである。
【００２１】
図１に実線で示すように、前後方向を向くベース脚１の後端部に立設した複数(この例で３個)の支柱２を左右方向に並べ、それらの上端部同士、および下端部同士を、左右方向を向く横連結杆３をもって連結することにより、フレーム４が形成されている。
【００２２】
フレーム４における互いに隣接する１対の支柱２、２の上部前面間には、マガジンラック式の物品支持棚５がそれぞれ架設されている。左右１対の物品支持棚５、５は、隣接する端部同士が突き合わされて、互いに左右方向に連続している。
【００２３】
各物品支持棚５の下方におけるフレーム４の下部には、想像線で示す平台６がそれぞれ装着され、片面型の陳列棚装置が形成されている。
また、図１に想像線で示すように、各支柱２を、前後方向に長いベース脚１’の中央部に、側面視倒立Ｔ字状に立設するとともに、各支柱２の後面にも、前面におけるのと同一の物品支持棚５および平台６を、前後逆向きとして装着し、両面型の陳列棚装置とすることもある。
なお、平台６は、本発明に直接関係しないので、詳細な説明は省略し、また、支柱２、２の後面に装着する物品支持棚５は、前面におけるものと前後対称の同一構造であるため、以下、前面の物品支持棚５、５のみについて詳細に説明する。
【００２４】
各物品支持棚５の左右方向の長さは、互いに隣接する１対の支柱２、２のセンター間の距離と等しいか、またはそれよりわずかに小としてある。
図１〜図５に示すように、各物品支持棚５は、後上部から前下部にかけての縁が階段状に切設された左右１対の側板７、７と、両側板７、７の内面間に架設された階段状陳列部８とを備えている。
【００２５】
階段状陳列部８は、若干後傾する背板部９ａと若干前上がり傾斜する受板部９ｂとを直角に折曲形成することにより、側面視Ｌ字状とした複数の単位棚板９を、前方のものを下方にずらして、また背板部９ａの前面と受板部９ｂの上面とが、各側板７の縁と整合するようにして、両側板７、７の内面間に架設することにより、前方に向かって漸次下降する階段状に形成されている。
【００２６】
前段の単位棚板９における背板部９ａの上下方向の中間部に、その直後の単位棚板９における受板部９ｂが位置するようにして、各単位棚板９における背板部９ａおよび受板部９ｂの側端に連設した取付片９ｃ、９ｄを、各側板７の内面に固着することにより、後段の単位棚板９における受板部９ｂより上方に突出する前段の単位棚板９の背板部９ａの上部が、後段の単位棚板９における前方への落下防止柵をなすようにしてある。
【００２７】
各側板７の前端には、最前段の単位棚板９の前方を覆う透明板等よりなる前面板１０の両端部を受支する平面視内向きコ字状の保持枠１１が固着されている。
【００２８】
各物品支持棚５の両側板７における後部内面には、後方に向かって突出する上下１対の係止片１２、１３が固着されている。
上方の係止片１２の後端には、側面視下向き鉤形の４個の係止爪１２ａが、また下方の係止片１３の後端には、後方に向かって突出する３個の凸部１３ａが、それぞれ設けられ、上方の４個の係止爪１２ａを、各支柱２の前面に上下方向に等間隔をもって、かつ左右２列として設けられた複数の係止孔２ａの内側の列の所望のものに係止するとともに、下方の３個の凸部１３ａを、各支柱２の前面における所望の係止孔２ａに嵌合することにより、各物品支持棚５は、その後面と各支柱２の前面との間に、所要の隙間１４が形成されるようにして、左右の支柱２、２の上部前面間に取り付けられている。
【００２９】
左右の物品支持棚５、５の外側の端面には、それらの端面全体を覆う側面カバー１５が、次のようにして着脱自在に装着されている。
各側面カバー１５の後端部におけるやや上部内面には、内方に向かって正面視上向き鉤形に突出する係合片１６が固着されている。
また、各側面カバー１５の下端には、内方に向かってほぼ水平に延出する内向き片１７が連設されており、この内向き片１７の遊端には、短寸の起立片１８が設けられている。
【００３０】
各側面カバー１５は、係合片１６を、物品支持棚５の後面と支柱２の前面との間の隙間１４に挿入するとともに、支柱２に係止された係止片１２の下縁に、左右方向に相対移動不能として係合し、かつ上記内向き片１７を、物品支持棚５における側板７の下端に折曲形成された内向き折曲片７ａの下面に当接し、止着手段である固定ねじ１９を、内向き片１７と内向き折曲片７ａとを上方に向かって貫通させて、内向き折曲片７ａの上面に固着した溶接ナット２０に螺合して締め付けることにより、支柱２に取付けられた物品支持棚５の側端面に装着されている。
【００３１】
起立片１８の上下寸法は、係合片１６における係止片１２との係合深さより小としてある。それによって、係合片１６を、係止片１２の下端部に下方よりわずかに係合させた状態で、内向き片１７を、物品支持棚５の下端に向かって押し上げて、起立片１８を、物品支持棚５における側板７の内向き折曲片７ａの内端に係合させ易くすることができ、側面カバー１５を、物品支持棚５に簡単に組み付けることができるとともに、起立片１８が物品支持棚５における側板７の内向き折曲片７ａの内端に係合することにより、側面カバー１５の下端部が物品支持棚５から側方に剥がれるのが強力に阻止し、強固な構造としうるようにしてある。
【００３２】
以上から明らかなように、第１の実施形態においては、側面カバー１５の後端部に設けた内向きの係合片１６を、支柱２に取り付けた物品支持棚５の後面と支柱２の前面との間の隙間１４に挿入し、その隙間１４において、支柱２に係止した物品支持棚５の係止片１２に係合し、かつ側面カバー１５の下端に設けた内向き片１７を、物品支持棚５の下端に当接し、止着手段である固定ねじをもって止着してあるので、側面カバー１５を、物品支持棚５の側端に簡単かつ確実に装着することができるとともに、簡単に外すことができ、もって、図１に示すように、複数の物品支持棚５を、間に側面カバー１５を介在させることなく、互いに側端同士を突き合わせるか、または近接させて、左右方向に連続させて並べることができ、しかも、構造が簡単で、体裁のよい陳列棚装置を提供することができる。
【００３３】
第１の実施形態においては、側面カバー１５の内面に、それと別部材の金属板を固着することにより、正面視上向き鉤形の係合片１６を形成してあるが、図６に示す第２の実施形態のように、係合片３０を、側面カバー１５の後端より内向きに折曲して形成し、かつこの係合片３０の上端に、係止片１２(図２〜図４参照)の下端部に下方より係合する下向きの切込み３１を設けて実施することもできる。
【００３４】
この第２の実施形態のような構造とすると、係合片３０を、側面カバー１５の製造時に、プレス加工等により、側面カバー１５と一体的に、簡単に形成することができる。
【００３５】
また、図７〜図９に示す第３の実施形態のように、側面カバー１５の後端部に、内向きの係合片４０を折曲形成し、この係合片４０の下端に上向きの切込み４１を設け、この切込み４１を、図８に示すように、係止片１２の上端部に、左右方向に相対移動不能として、上方より係合させてもよい。
【００３６】
このような構造とすると、係合片４０が係止片１２に係合することにより、側面カバー１５の荷重が係止片１２により支持されるとともに、側面カバー１５の上部の左右方向の移動が阻止されるので、側面カバー１５の下端の内向き片１７は、第１の実施形態におけるように、固定ねじ１９等をもって側板７の下端に締着するまでもなく、図９に示すように、内向き片１７の先端に、山形の弾性係合片４２を連設し、これが、物品支持棚５における側板７の内向き折曲片７ａの内端に弾性係合することにより、側面カバー１５の下端の左右方向の移動を阻止しうるようにする程度でよい。
【００３７】
本発明は、上記実施形態のみに限定されるものではなく、幾多の変形した態様での実施が可能である。
例えば、物品支持棚５の階段状陳列部８における段数、すなわち単位棚板９の個数は、状況に応じて増減することができるとともに、ここに陳列する物品は、雑誌や書籍に限らず、ビデオテープ、ＣＤ、その他の板状または薄い箱状のものとすることができる。
【図面の簡単な説明】
【００３８】
【図１】本発明の第１の実施形態の外観斜視図である。
【図２】同じく、その左側上部分解斜視図である。
【図３】同じく、一部を破断して示す要部の拡大縦断側面図である。
【図４】図３のIV−IV線に沿う拡大縦断正面図である。
【図５】図３のV−V線に沿う拡大縦断正面図である。
【図６】本発明の第２の実施形態における側部カバーの上部の斜視図である。
【図７】本発明の第３の実施形態における側部カバーの上部の斜視図である。
【図８】同じく、第３の実施形態における、図４と同様の部分の縦断正面図である。
【図９】同じく、第３の実施形態における、図５と同様の部分の縦断正面図である。
【符号の説明】
【００３９】
１、１’  ベース脚
２  支柱
２ａ係止孔
３  横連結杆
４  フレーム
５  物品支持棚
６  平台
７  側板
７ａ内向き折曲片
８  階段状陳列部
９  単位棚板
９ａ背板部
９ｂ受板部
９ｃ、９ｄ  取付片
１０  前面板
１１  保持枠
１２  係止片
１２ａ係止爪
１３  係止片
１３ａ凸部
１４  隙間
１５  側面カバー
１６  係合片
１７  内向き片
１８  起立片
１９  固定ねじ(止着手段)
２０  溶接ナット
３０  係合片
３１  切込み
４０  係合片
４１  切込み
４２  弾性係合片
【図１】
2009078043.tif 000003
【図２】
2009078043.tif 000004
【図３】
2009078043.tif 000005
【図４】
2009078043.tif 000006
【図５】
2009078043.tif 000007
【図６】
2009078043.tif 000008
【図７】
2009078043.tif 000009
【図８】
2009078043.tif 000010
【図９】
2009078043.tif 000011